【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
感光体と、
前記感光体を帯電させる帯電手段と、
第一画像形成装置、または第二画像形成装置に搭載可能で、前記感光体を露光して静電潜像を形成する露光手段であって、第一プロセススピードで画像を形成する前記第一画像形成装置の仕様と第二プロセススピードで画像を形成する前記第二画像形成装置の仕様とを満たした共通仕様の露光手段と、
前記静電潜像を現像してトナー画像を形成する現像手段と、
前記露光手段の光源を駆動する駆動手段と、
前記光源の光量と前記駆動手段に入力される制御値との関係を示すデータであって、前記トナー画像を形成するための部材の駆動速度に関する第一プロセススピードについて組み立て工程において取得された前記データを保持し、前記第一プロセススピードとは異なる第二プロセススピードについての前記データを保持していない保持手段と、
前記露光手段が、前記トナー画像を形成するための部材の駆動速度に関するプロセススピードが前記第一プロセススピードである前記第一画像形成装置に搭載された場合、前記保持手段に保持されているデータに基づき前記駆動手段に入力される制御値を求め、前記露光手段が、前記プロセススピードが前記第二プロセススピードである前記第二画像形成装置に搭載された場合、前記保持手段に保持されている前記第一プロセススピードについての前記データを補正し、補正された当該データに基づき前記駆動手段に入力される制御値を求める制御手段と、を有し、
前記駆動手段は、前記制御手段により求められた制御値に基づき前記光源を駆動することを特徴とする画像形成システム。
【請求項２】
前記部材は前記感光体であり、前記プロセススピードは前記感光体の周速度であることを特徴とする請求項１に記載の画像形成システム。
【請求項３】
前記部材は前記露光手段であり、前記プロセススピードは前記露光手段の走査速度であることを特徴とする請求項１に記載の画像形成システム。
【請求項４】
前記制御手段は、
前記プロセススピードが前記第二プロセススピードである場合、前記保持手段に保持されている前記第一プロセススピードについての前記データを補正する補正手段と、
前記プロセススピードが前記第二プロセススピードである場合、前記光源の光量を所定光量に制御するために前記駆動手段に入力される前記制御値を、前記補正手段により補正されたデータに基づき決定して、前記駆動手段に入力する決定手段と、を有することを特徴とする請求項１ないし３のいずれか一項に記載の画像形成システム。
【請求項５】
前記保持手段は、前記データに関連付けられているプロセススピードを示すスピード情報を保持しており、
前記補正手段は、搭載された画像形成装置のプロセススピードと前記データに関連付けられているプロセススピードとの比に応じた係数を用いて前記データを補正することを特徴とする請求項４に記載の画像形成システム。
【請求項６】
前記保持手段は、前記データに関連付けられているプロセススピードを示すスピード情報を保持しており、
前記補正手段は、搭載された画像形成装置のプロセススピードと前記データに関連付けられているプロセススピードとが一致している場合、前記データを補正せずに前記決定手段に供給することを特徴とする請求項４に記載の画像形成システム。
【請求項７】
前記光源の光量は、前記感光体の表面における光の輝度を示していることを特徴とする請求項１ないし６のいずれか一項に記載の画像形成システム。
【請求項８】
前記光源の光量は、前記感光体の表面のうち像高が０である位置における光の輝度を示していることを特徴とする請求項７に記載の画像形成システム。
【請求項９】
前記データは、第一制御値と第一光量とのペアと、第二制御値と第二光量とのペアとを含み、
前記補正手段は、前記プロセススピードに応じて前記データに含まれている前記第一制御値と前記第二制御値とを補正し、
前記決定手段は、前記補正されたデータを用いて制御値と前記光源の光量との関係を表す関数を求め、当該関数を用いて前記所定光量に対応する制御値を決定することを特徴とする請求項４に記載の画像形成システム。
【請求項１０】
前記データは、前記制御値と前記光源の光量との関係を表す一次関数の傾きと切片とを含み、
前記補正手段は、前記プロセススピードに応じて前記傾きと前記切片を補正し、
前記決定手段は、前記補正されたデータを用いて制御値と前記光源の光量との関係を表す関数を求め、当該関数を用いて前記所定光量に対応する制御値を決定することを特徴とする請求項４に記載の画像形成システム。
【請求項１１】
前記決定手段は、前記感光体の消耗度に応じて前記所定光量を決定することを特徴とする請求項４に記載の画像形成システム。
【請求項１２】
前記露光手段は、前記光源が出力した光を受光する受光手段を有し、
前記駆動手段は、前記受光手段が出力する信号に基づき前記光源の光量を調整する調整手段を有し、
前記調整手段は、前記受光手段が出力する信号のレベルが前記駆動手段に入力された制御値に対応したレベルとなるように、前記光源に供給する駆動電流を調整することを特徴とする請求項１乃至１１のいずれか一項に記載の画像形成システム。
【請求項１３】
感光体と、
前記感光体を帯電させる帯電手段と、
第一画像形成装置、または第二画像形成装置に搭載可能で、画像信号に応じて前記感光体を露光して静電潜像を形成する露光手段であって、第一プロセススピードまたは第一解像度である第一パラメータで画像を形成する前記第一画像形成装置の仕様と第二プロセススピードまたは第二解像度である第二パラメータで画像を形成する前記第二画像形成装置の仕様とを満たした共通仕様の露光手段と、
前記静電潜像を現像してトナー画像を形成する現像手段と、
前記露光手段の光源を駆動する駆動手段と、
前記光源が発光を開始するタイミングを調整するデータであって、前記トナー画像を形成するための部材の駆動速度に関する第一プロセススピードまたは前記トナー画像の第一の解像度である第一パラメータについて組み立て工程において取得されたデータを保持し、前記第一パラメータとは異なる第二パラメータについての前記データを保持していない保持手段と、
前記露光手段が、前記トナー画像を形成するための部材の駆動速度に関するプロセススピードまたは前記トナー画像の解像度であるパラメータが前記第一パラメータである前記第一画像形成装置に搭載された場合、前記保持手段に保持されている前記第一パラメータについての前記データに基づき、前記光源が発光を開始するタイミングを求め、前記露光手段が、前記パラメータが前記第二パラメータである前記第二画像形成装置に搭載された場合、前記第一パラメータについての前記データを前記パラメータに基づき補正し、補正された当該データに基づき、前記光源が発光を開始するタイミングを求める制御手段と、を有し、
前記駆動手段は、前記制御手段により求められた発光を開始するタイミングに基づき前記光源を駆動することを特徴とする画像形成システム。
【請求項１４】
前記制御手段は、
前記パラメータが前記第二パラメータである場合、前記保持手段に保持されている前記第一パラメータについての前記データを補正する補正手段と、
前記パラメータが前記第二パラメータである場合、前記補正手段により補正されたデータに応じて前記発光を開始するタイミングである前記画像信号を前記駆動手段に出力するタイミングを決定する決定手段と、を有することを特徴とする請求項１３に記載の画像形成システム。
【請求項１５】
前記データは、前記露光手段から出力される光の走査方向における潜像の書き出し位置を調整するデータであることを特徴とする請求項１３または１４に記載の画像形成システム。
【請求項１６】
前記パラメータはプロセススピードであり、
前記保持手段は、前記データに関連付けられているプロセススピードを示すスピード情報を保持しており、
前記補正手段は、搭載された画像形成装置のプロセススピードと前記データに関連付けられているプロセススピードとの比に応じた係数を用いて前記データを補正することを特徴とすることを特徴とする請求項１４に記載の画像形成システム。
【請求項１７】
前記パラメータはプロセススピードであり、
前記保持手段は、前記データに関連付けられているプロセススピードを示すスピード情報を保持しており、
前記補正手段は、搭載された画像形成装置のプロセススピードと前記データに関連付けられているプロセススピードとが一致している場合、前記タイミングを補正しないことを特徴とすることを特徴とする請求項１４に記載の画像形成システム。
【請求項１８】
前記保持手段に保持されている前記データは、前記光源の光量と前記駆動手段に入力される制御値との関係を示すデータであり、
前記制御手段は、前記トナー画像を形成するための部材の駆動速度に関するプロセススピードと、当該データに基づき、前記駆動手段に入力される制御値を求め、
前記駆動手段は、前記制御手段により求められた制御値に基づき前記光源を駆動することを特徴とする請求項１４に記載の画像形成システム。
【請求項１９】
第一画像形成装置、または第二画像形成装置に搭載可能で、感光体を露光して静電潜像を形成する、第一プロセススピードまたは第一解像度である第一パラメータで画像を形成する前記第一画像形成装置の仕様と第二プロセススピードまたは第二解像度である第二パラメータで画像を形成する前記第二画像形成装置の仕様とを満たした共通仕様の露光装置であって、
静電潜像を形成するための光を出力する光源と、
前記光源を駆動する駆動手段と、
前記光源の光量と前記駆動手段に入力される制御値との関係を示すデータであって、前記静電潜像を形成するための部材の駆動速度に関する第一プロセススピードについて組み立て工程において取得された前記データを保持し、前記第一プロセススピードとは異なる第二プロセススピードについての前記データを保持していない保持手段と、
前記静電潜像を形成するための部材の駆動速度に関するプロセススピードが前記第一プロセススピードである前記第一画像形成装置に搭載された場合、前記保持手段に保持されているデータに基づき前記駆動手段に入力される制御値を求め、前記プロセススピードが前記第二プロセススピードである前記第二画像形成装置に搭載された場合、前記保持手段に保持されている前記第一プロセススピードについての前記データを補正し、補正された当該データに基づき前記駆動手段に入力される制御値を求める制御手段と、を有し、
前記駆動手段は、前記制御手段により求められた制御値に基づき前記光源を駆動することを特徴とする露光システム。
【請求項２０】
第一画像形成装置、または第二画像形成装置に搭載可能で、感光体を露光して静電潜像を形成する、第一プロセススピードまたは第一解像度である第一パラメータで画像を形成する前記第一画像形成装置の仕様と第二プロセススピードまたは第二解像度である第二パラメータで画像を形成する前記第二画像形成装置の仕様とを満たした共通仕様の露光装置であって、
静電潜像を形成するための光を出力する光源と、
前記光源を駆動する駆動手段と、
前記光源が発光を開始するタイミングを調整するデータであって、前記静電潜像を形成するための部材の駆動速度に関する第一プロセススピードまたは前記静電潜像の第一の解像度である第一パラメータについて組み立て工程において取得されたデータを保持し、前記第一パラメータとは異なる第二パラメータについての前記データを保持していない保持手段と、
前記静電潜像を形成するための部材の駆動速度に関するプロセススピードまたは前記静電潜像の解像度であるパラメータが前記第一パラメータである前記第一画像形成装置に搭載された場合、前記保持手段に保持されている前記第一パラメータについての前記データに基づき、前記光源が発光を開始するタイミングを求め、前記パラメータが前記第二パラメータである前記第二画像形成装置に搭載された場合、前記第一パラメータについての前記データを前記パラメータに基づき補正し、補正された当該データに基づき、前記光源が発光を開始するタイミングを求める制御手段と、を備え、
前記駆動手段は、前記制御手段により求められた発光を開始するタイミングに基づき前記光源を駆動することを特徴とする露光システム。
【手続補正２】
【補正対象書類名】明細書
【補正対象項目名】０００６
【補正方法】変更
【補正の内容】
【０００６】
本発明によれば、たとえば、
感光体と、
前記感光体を帯電させる帯電手段と、
第一画像形成装置、または第二画像形成装置に搭載可能で、前記感光体を露光して静電潜像を形成する露光手段であって、第一プロセススピードで画像を形成する前記第一画像形成装置の仕様と第二プロセススピードで画像を形成する前記第二画像形成装置の仕様とを満たした共通仕様の露光手段と、
前記静電潜像を現像してトナー画像を形成する現像手段と、
前記露光手段の光源を駆動する駆動手段と、
前記光源の光量と前記駆動手段に入力される制御値との関係を示すデータであって、前記トナー画像を形成するための部材の駆動速度に関する第一プロセススピードについて組み立て工程において取得された前記データを保持し、前記第一プロセススピードとは異なる第二プロセススピードについての前記データを保持していない保持手段と、
前記露光手段が、前記トナー画像を形成するための部材の駆動速度に関するプロセススピードが前記第一プロセススピードである前記第一画像形成装置に搭載された場合、前記保持手段に保持されているデータに基づき前記駆動手段に入力される制御値を求め、前記露光手段が、前記プロセススピードが前記第二プロセススピードである前記第二画像形成装置に搭載された場合、前記保持手段に保持されている前記第一プロセススピードについての前記データを補正し、補正された当該データに基づき前記駆動手段に入力される制御値を求める制御手段と、を有し、
前記駆動手段は、前記制御手段により求められた制御値に基づき前記光源を駆動することを特徴とする画像形成システムが提供される。